(57)【要約】【課題】電子楽器以外の通常の楽器についても適用でき、かつ、楽器の環境に対応することができる調律装置等を提供すること。【解決手段】調律対象となる楽器２０に配置される調律装置２２であって、調律装置２２は、位置情報衛星１２ａ等から位置関連信号を受信して現在位置を測位する測位手段と、  現在位置の温度湿度情報を取得する温度湿度情報取得手段と、楽器２０の材質情報を格納する材質情報格納手段と、温度湿度情報に対応する前記材質情報である温度湿度対応材質情報を取得する温度湿度対応材質情報取得手段と、楽器２０の基準音を示す基準音情報を格納する基準音情報格納手段と、基準音の基準ピッチを示す基準ピッチ情報を格納する基準ピッチ情報格納手段と、温度湿度対応材質情報に基づいて、前記基準音を前記基準ピッチとなるように調整する基準音調整手段と、を有することを特徴とする。【選択図】図３
2005338717.tif 000002
【特許請求の範囲】
【請求項１】
調律対象となる楽器に配置される調律装置であって、
前記調律装置は、
位置情報衛星から位置関連信号を受信して現在位置を測位する測位手段と、
前記現在位置の温度湿度情報を取得する温度湿度情報取得手段と、
前記楽器の材質情報を格納する材質情報格納手段と、  
前記温度湿度情報に対応する前記材質情報である温度湿度対応材質情報を取得する温度湿度対応材質情報取得手段と、
前記楽器の基準音を示す基準音情報を格納する基準音情報格納手段と、
前記基準音の基準ピッチを示す基準ピッチ情報を格納する基準ピッチ情報格納手段と、
前記温度湿度対応材質情報に基づいて、前記基準音を前記基準ピッチとなるように調整する基準音調整手段と、
を有することを特徴とする調律装置。
【請求項２】
前記調律装置は、前記現在位置が屋外か屋内かを判断する屋外屋内判断手段を有し、
前記温度湿度情報取得手段は、
前記現在位置の月別平均温度湿度情報を取得する月別平均温度湿度情報取得手段と、
前記現在位置の属する屋内の会場の設定温度及び設定湿度を示す設定温度湿度情報を取得する設定温度湿度情報取得手段と、
を含むことを特徴とする請求項１に記載の調律装置。
【請求項３】
前記屋外屋内判断手段が前記現在位置が屋内であると判断した場合には、前記現在位置の属する会場の音響情報を取得する音響情報取得手段と、
前記音響情報に基づいて、前記基準音を微調整する基準音微調整手段と、
を有することを特徴とする請求項２に記載の調律装置。
【請求項４】
調律装置が配置された楽器であって、
前記調律装置は、位置情報衛星から位置関連信号を受信して現在位置を測位する測位手段と、
前記現在位置が屋外か屋内かを判断する屋外屋内判断手段と、
前記現在位置の月別平均温度湿度情報を取得する月別平均温度湿度情報取得手段と、
前記現在位置の属する屋内の会場の設定温度及び設定湿度を示す設定温度湿度情報を取得する設定温度湿度情報取得手段と、
前記楽器の材質情報を格納する材質情報格納手段と、  
前記温度湿度情報に対応する前記材質情報である温度湿度対応材質情報を取得する温度湿度対応材質情報取得手段と、
前記楽器の基準音を示す基準音情報を格納する基準音情報格納手段と、
前記基準音の基準ピッチを示す基準ピッチ情報を格納する基準ピッチ情報格納手段と、
前記温度湿度対応材質情報に基づいて、前記基準音を前記基準ピッチとなるように調整する基準音調整手段と、
前記現在位置の存在する屋内の会場の音響情報を取得する音響情報取得手段と、
前記音響情報に基づいて、前記基準音を微調整する基準音微調整手段と、
を有することを特徴とする楽器。
【請求項５】
前記楽器は、弦楽器及び／又は打楽器であることを特徴とする請求項４に記載の楽器。
【請求項６】
調律対象となる楽器に配置される調律装置が、位置情報衛星からの位置関連信号に基づいて現在位置を測位して現在位置情報を取得する現在位置情報取得ステップと、
前記調律装置が、前記現在位置の温度湿度情報を取得する温度湿度情報取得ステップと、
前記調律装置が、前記現在位置の温度湿度情報に対応する前記楽器の材質情報である温度湿度対応材質情報を取得する温度湿度対応材質情報取得ステップと、
前記調律装置が、前記楽器の基準音を示す基準音情報と、前記基準音の基準ピッチを示す基準ピッチ情報と、前記温度湿度対応材質情報に基づいて、前記基準音を前記基準ピッチとなるように調整する基準音調整ステップと、
を有することを特徴とする調律方法。
【請求項７】
前記調律装置が、前記現在位置が屋外か屋内かを判断する屋外屋内判断ステップを有し、
前記調律装置が、前記屋外屋内判断ステップにおいて前記現在位置が屋外であると判断した場合には、前記温度湿度情報取得ステップにおいて、前記現在位置の月別平均温度湿度情報を取得し、
前記調律装置が、前記屋外屋内判断ステップにおいて前記現在位置が屋内であると判断した場合には、前記温度湿度情報取得ステップにおいて、前記現在位置の属する演奏会場の設定温度及び設定湿度を示す設定温度湿度情報を取得することを特徴とする請求項６に記載の調律方法。
【請求項８】
前記調律装置が、前記屋外屋内判断ステップにおいて前記現在位置が屋内であると判断した場合には、前記現在位置が属する会場の音響情報を取得する音響情報取得ステップと、
前記調律装置が、前記音響情報に基づいて、前記基準音を微調整する基準音微調整ステップと、
を有することを特徴とする請求項７に記載の調律方法。
【請求項９】
コンピュータに、
調律対象となる楽器に配置される調律装置が、位置情報衛星から位置関連信号を受信して現在位置を測位して現在位置情報を取得する現在位置情報取得ステップと、
前記調律装置が、前記現在位置の温度湿度情報を取得する温度湿度情報取得ステップと、
前記調律装置が、前記現在位置の温度湿度情報に対応する前記楽器の材質情報である温度湿度対応材質情報を取得する温度湿度対応材質情報取得ステップと、
前記調律装置が、前記楽器の基準音を示す基準音情報と、前記基準音の基準ピッチを示す基準ピッチ情報と、前記温度湿度対応材質情報に基づいて、前記基準音を前記基準ピッチとなるように調整する基準音調整ステップと、
を実行させることを特徴とする調律装置の制御プログラム。
【請求項１０】
コンピュータに、
調律対象となる楽器に配置される調律装置が、位置情報衛星から位置関連信号を受信して現在位置を測位して現在位置情報を取得する現在位置情報取得ステップと、
前記調律装置が、前記現在位置の温度湿度情報を取得する温度湿度情報取得ステップと、
前記調律装置が、前記現在位置の温度湿度情報に対応する前記楽器の材質情報である温度湿度対応材質情報を取得する温度湿度対応材質情報取得ステップと、
前記調律装置が、前記楽器の基準音を示す基準音情報と、前記基準音の基準ピッチを示す基準ピッチ情報と、前記温度湿度対応材質情報に基づいて、前記基準音を前記基準ピッチとなるように調整する基準音調整ステップと、
を実行させることを特徴とする調律装置の制御プログラムを記録したコンピュータ読み取り可能な記録媒体。
【発明の詳細な説明】
【技術分野】
【０００１】
本発明は、調律装置、調律装置が配置された楽器、調律方法、調律装置の制御プログラム及び調律装置の制御プログラムを格納したコンピュータ読み取り可能な記録媒体に関するものである。
【背景技術】
【０００２】
従来、楽器である例えば、ピアノの音を調整する調律が行われている。
この調律は、専門家が自分の耳を頼りに自分の手で行われており、一般の人が随時実施することは困難であった。
これに対して、電子楽器の自動調律装置に関する技術が提案されている（例えば、特許文献１）。
【特許文献１】特開平７−１０４７５３号公報（図１等）
【発明の開示】
【発明が解決しようとする課題】
【０００３】
しかし、従来技術においては、調律の対象となる楽器が電子楽器に限定されており、通常の楽器には適用できないという問題がある。また、従来技術においては、調律方法が一律なために、楽器の位置の変化に伴って環境が変った場合に、適切な調律を行うことができない場合があるという問題がある。  
【０００４】
そこで、本発明は、電子楽器以外の通常の楽器についても適用でき、かつ、楽器の環境に対応することができる調律装置、調律装置が配置された楽器、調律方法、調律装置の制御プログラム及び調律装置の制御プログラムを格納したコンピュータ読み取り可能な記録媒体を提供することを目的とする。
【課題を解決するための手段】
【０００５】
前記目的は、第１の発明によれば、調律対象となる楽器に配置される調律装置であって、前記調律装置は、位置情報衛星から位置関連信号を受信して現在位置を測位する測位手段と、前記現在位置の温度湿度情報を取得する温度湿度情報取得手段と、前記楽器の材質情報を格納する材質情報格納手段と、前記温度湿度情報に対応する前記材質情報である温度湿度対応材質情報を取得する温度湿度対応材質情報取得手段と、前記楽器の基準音を示す基準音情報を格納する基準音情報格納手段と、前記基準音の基準ピッチを示す基準ピッチ情報を格納する基準ピッチ情報格納手段と、前記温度湿度対応材質情報に基づいて、前記基準音を前記基準ピッチとなるように調整する基準音調整手段と、を有することを特徴とする調律装置により達成される。
【０００６】
前記楽器である例えば、ピアノの弦は温度や湿度によって、物性が変動する。このため、ピアノの弦の振動の仕方が変動する。そして、ピアノの弦を構成する材料の材質によって、温度や湿度による影響が規定される。
この点、前記調律装置は、前記温度湿度対応材質情報に基づいて、前記基準音を前記基準ピッチとなるように調整する。前記温度湿度対応材質情報は、前記現在位置の温度湿度情報に対応する材質の情報である。
このため、前記調律装置は、温度及び湿度を含む楽器の環境に対応することができる。
また、前記調律の対象となる楽器は電子楽器に限定されないから、前記調律装置は通常の楽器にも適用することができる。
【０００７】
第２の発明は、第１の発明の構成において、前記調律装置は、前記現在位置が屋外か屋内かを判断する屋外屋内判断手段を有し、前記温度湿度情報取得手段は、前記現在位置の月別平均温度湿度情報を取得する月別平均温度湿度情報取得手段と、前記現在位置の属する屋内の会場の設定温度及び設定湿度を示す設定温度湿度情報を取得する設定温度湿度情報取得手段と、を含むことを特徴とする。
【０００８】
第２の発明の構成によれば、前記調律装置は、前記現在位置が屋外であると判断した場合には、前記調律装置の前記温度湿度情報取得手段は、前記現在位置の月別平均温度湿度情報を取得することができる。
このため、前記調律装置は、前記現在位置が属する屋外の環境に対応することができる。
また、前記調律装置は、前記現在位置が屋内であると判断した場合には、前記現在位置の属する屋内の演奏会場の設定温度及び設定湿度を示す設定温度湿度情報を取得することができる。
このため、前記調律装置は、前記現在位置が属する屋内の環境に対応することができる。
【０００９】
第３の発明は、第２の発明の構成において、前記屋外屋内判断手段が前記現在位置が屋内であると判断した場合には、前記現在位置の属する会場の音響情報を取得する音響情報取得手段と、前記音響情報に基づいて、前記基準音を微調整する基準音微調整手段と、を有することを特徴とする。
【００１０】
第３の発明の構成によれば、前記調律装置は、前記現在位置の存在する会場の音響情報に基づいて、前記基準音を微調整する。
このため、前記調律装置は、楽器の現在位置の存在する会場の音響効果に基づいて、聴衆の耳に到達する音が適切な音となるように、調律することができる。
【００１１】
前記目的は、第４の発明によれば、調律装置が配置された楽器であって、前記調律装置は、位置情報衛星から位置関連信号を受信して現在位置を測位する測位手段と、前記現在位置が屋外か屋内かを判断する屋外屋内判断手段と、前記現在位置の月別平均温度湿度情報を取得する月別平均温度湿度情報取得手段と、前記現在位置の属する屋内の会場の設定温度及び設定湿度を示す設定温度湿度情報を取得する設定温度湿度情報取得手段と、前記楽器の材質情報を格納する材質情報格納手段と、前記温度湿度情報に対応する前記材質情報である温度湿度対応材質情報を取得する温度湿度対応材質情報取得手段と、前記楽器の基準音を示す基準音情報を格納する基準音情報格納手段と、前記基準音の基準ピッチを示す基準ピッチ情報を格納する基準ピッチ情報格納手段と、前記温度湿度対応材質情報に基づいて、前記基準音を前記基準ピッチとなるように調整する基準音調整手段と、前記現在位置の存在する屋内の会場の音響情報を取得する音響情報取得手段と、前記音響情報に基づいて、前記基準音を微調整する基準音微調整手段と、を有することを特徴とする楽器によって達成される。
【００１２】
第４の発明の構成によれば、電子楽器以外の通常の楽器についても適用でき、かつ、楽器の環境に対応することができ、さらに、楽器の現在位置の存在する会場の音響効果に基づいて、聴衆の耳に到達する音が適切な音となるように、調律することができる。
【００１３】
第５の発明は、第４の発明の構成において、前記楽器は、弦楽器及び／又は打楽器であることを特徴とする。
【００１４】
第５の発明の構成によれば、前記楽器は弦楽器である例えば、ピアノである。この場合、前記基準音調整手段及び前記基準音微調整手段は、ピアノの弦の張力を調整することによって前記基準音を調整することができる。
また、前記楽器が打楽器である例えば、太鼓の場合には、前記基準音調整手段及び前記基準音微調整手段は、太鼓の皮の張力を調整することによって、前記基準音を調整することができる。  
【００１５】
前記目的は、第６の発明によれば、調律対象となる楽器に配置される調律装置が、位置情報衛星からの位置関連信号に基づいて現在位置を測位して現在位置情報を取得する現在位置情報取得ステップと、前記調律装置が、前記現在位置の温度湿度情報を取得する温度湿度情報取得ステップと、前記調律装置が、前記現在位置の温度湿度情報に対応する前記楽器の材質情報である温度湿度対応材質情報を取得する温度湿度対応材質情報取得ステップと、前記調律装置が、前記楽器の基準音を示す基準音情報と、前記基準音の基準ピッチを示す基準ピッチ情報と、前記温度湿度対応材質情報に基づいて、前記基準音を前記基準ピッチとなるように調整する基準音調整ステップと、を有することを特徴とする調律方法によって達成される。
【００１６】
第６の発明の構成によれば、第１の発明の構成と同様に、電子楽器以外の通常の楽器についても適用でき、かつ、楽器の環境に対応することができる調律方法を提供することができる。
【００１７】
第７の発明は、第６の発明の構成において、前記調律装置が、前記現在位置が屋外か屋内かを判断する屋外屋内判断ステップを有し、前記調律装置が、前記屋外屋内判断ステップにおいて前記現在位置が屋外であると判断した場合には、前記温度湿度情報取得ステップにおいて、前記現在位置の月別平均温度湿度情報を取得し、前記調律装置が、前記屋外屋内判断ステップにおいて前記現在位置が屋内であると判断した場合には、前記温度湿度情報取得ステップにおいて、前記現在位置の属する演奏会場の設定温度及び設定湿度を示す設定温度湿度情報を取得することを特徴とする請求項６に記載の調律方法。
【００１８】
第７の発明の構成によれば、第２の発明の構成と同様に、前記現在位置が屋外であれば、屋外の環境の変化に対応することができ、前記現在位置が屋内であれば屋内の環境の変化に対応することができる調律方法を提供することができる。
【００１９】
第８の発明は、第７の発明の構成において、前記調律装置が、前記屋外屋内判断ステップにおいて前記現在位置が屋内であると判断した場合には、前記現在位置が属する会場の音響情報を取得する音響情報取得ステップと、前記調律装置が、前記音響情報に基づいて、前記基準音を微調整する基準音微調整ステップと、を有することを特徴とする。
【００２０】
第８の発明の構成によれば、第３の発明の構成と同様に、前記調律装置は、楽器の現在位置の存在する会場の音響効果に基づいて、聴衆の耳に到達する音が適切な音となるように、調律することができる。
【００２１】
前記目的は、第９の発明によれば、コンピュータに、調律対象となる楽器に配置される調律装置が、位置情報衛星から位置関連信号を受信して現在位置を測位して現在位置情報を取得する現在位置情報取得ステップと、前記調律装置が、前記現在位置の温度湿度情報を取得する温度湿度情報取得ステップと、前記調律装置が、前記現在位置の温度湿度情報に対応する前記楽器の材質情報である温度湿度対応材質情報を取得する温度湿度対応材質情報取得ステップと、前記調律装置が、前記楽器の基準音を示す基準音情報と、前記基準音の基準ピッチを示す基準ピッチ情報と、前記温度湿度対応材質情報に基づいて、前記基準音を前記基準ピッチとなるように調整する基準音調整ステップと、を実行させることを特徴とする調律装置の制御プログラムによって達成される。
【００２２】
前記目的は、第１０の発明の構成によれば、コンピュータに、調律対象となる楽器に配置される調律装置が、位置情報衛星から位置関連信号を受信して現在位置を測位して現在位置情報を取得する現在位置情報取得ステップと、前記調律装置が、前記現在位置の温度湿度情報を取得する温度湿度情報取得ステップと、前記調律装置が、前記現在位置の温度湿度情報に対応する前記楽器の材質情報である温度湿度対応材質情報を取得する温度湿度対応材質情報取得ステップと、前記調律装置が、前記楽器の基準音を示す基準音情報と、前記基準音の基準ピッチを示す基準ピッチ情報と、前記温度湿度対応材質情報に基づいて、前記基準音を前記基準ピッチとなるように調整する基準音調整ステップと、を実行させることを特徴とする調律装置の制御プログラムを記録したコンピュータ読み取り可能な記録媒体によって達成される。
【発明を実施するための最良の形態】
【００２３】
以下、この発明の好適な実施の形態を添付図面等を参照しながら、詳細に説明する。
尚、以下に述べる実施の形態は、本発明の好適な具体例である為、技術的に好ましい種々の限定が付されているが、本発明の範囲は、以下の説明において特に本発明を限定する旨の記載がない限り、これらの態様に限られるものではない。
【００２４】
図１は、本発明の実施の形態に係る調律装置である例えば、調律装置２２等を示す概略図である。
図１に示すように、調律装置２２は調律対象となる楽器である例えば、ピアノ２０に配置されている。
調律装置２２は、位置情報衛星である例えば、ＧＰＳ（Ｇｌｏｂａｌ  Ｐｏｓｉｔｉｏｎｉｎｇ  Ｓｙｓｔｅｍ）衛星１２ａ，１２ｂ，１２ｃ，１２ｄから位置関連信号を受信して現在位置を測位する測位手段である例えば、ＧＰＳ装置３４を有する。
なお、ＧＰＳ衛星の数は４個に限らない。また、調律対象となる楽器はピアノ２０のような弦楽器に限らず、打楽器でもよく、また、電子楽器でもよい。
【００２５】
（調律装置２２のハードウエア構成について）
図２は調律装置２２の主なハードウエア構成を示す概略図である。
図２に示すように、調律装置２２は、コンピュータを有しており、コンピュータは、バス２４を有する。
このバス２４には、ＣＰＵ（Ｃｅｎｔｒａｌ  Ｐｒｏｃｅｓｓｉｎｇ  Ｕｎｉｔ）２６、記憶装置２８が接続されている。記憶装置２８は例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）である。
【００２６】
また、このバス２４には例えば、ＨＤ（Ｈａｒｄ  Ｄｉｓｋ）である外部記憶装置３０が接続されている。
また、このバス２４には、各種情報を入力するための入力装置３２、ＧＰＳ装置３４が接続されている。
さらに、このバス２４には、ピアノ２０の音を調律するための、ピッチ調整装置３６が接続されている。
【００２７】
（調律装置２２のソフトウエア構成について）
図３は、調律装置２２の主なソフトウエア構成等を示す概略図である。
図３に示すように、調律装置２２は、各部を制御する制御部１００を有する。  
また、調律装置２２は、図２のＧＰＳ装置３４に対応する測位部１０２を有する。測位部１０２によって取得した現在位置情報１５２は第３記憶部１５０に格納される。
【００２８】
図３に示すように、調律装置２２は、図２のピッチ調整装置３６に対応するピッチ調整部１０４を有する。
ピッチ調整部１０４は、ピアノ２０の基準音である例えば、「Ａ４：ラ」の音を基準としてピアノ２０の他のすべての音を調律する。したがって、以下では、基準音であるラの音の調律について説明し、他の音の調律についての説明は省略する。
【００２９】
ピッチ調整部１０４は例えば、雰囲気温度が摂氏１５度であるという条件下、基準音であるラの音を基準ピッチである例えば、４４０ヘルツ（Ｈｚ）に合致させる等の調整をする。ここで、ピッチは音程を示すものであり、周波数によって決定される。そこで、ピッチ調整部１０４は周波数を調整することによって、ピッチを調整する。
【００３０】
図３に示すように、調律装置２２は、各種プログラムを格納する第１記憶部１１０、予め各種情報を格納する第２記憶部１３０、調律装置２２が取得又は生成した情報を格納する第３記憶部１５０を有する。
【００３１】
図３に示すように、第１記憶部１１０には、屋内屋外判断プログラム１１２が格納されている。屋内屋外判断プログラム１１２は、制御部１００が、ピアノ２０の現在位置が屋内か屋外かを判断するための情報である。すなわち、屋内屋外判断プログラム１１２と制御部１００は、屋外屋内判断手段の１例である。
具体的には、制御部１００は、屋内屋外判断プログラム１１２に基づいて、測位部１０２が測位に使用した図１のＧＰＳ衛星１２ａ等からの信号強度に基づいて、屋内か屋外かを判断する。
【００３２】
図３に示すように、第１記憶部１１０には、現在位置月別温度湿度情報取得プログラム１１４が格納されている。現在位置月別温度湿度情報取得プログラム１１４は、制御部１００が、第２記憶部１３０に格納されている月別温度湿度情報１３２から、現在位置情報１５２に示される現在位置に対応する現在位置月別温度湿度情報１５４を取得するための情報である。すなわち、現在位置月別温度湿度情報取得プログラム１１４と制御部１００は、温度湿度情報取得手段の１例であり、より詳細には、月別平均温度湿度情報取得手段の１例である。
制御部１００は、上述の屋内屋外判断プログラム１１２に基づいて、現在位置が屋外であると判断した場合には、現在位置月別温度湿度情報１５４を取得し、その月別温度湿度情報１５４を第３記憶部１５０に格納する。
【００３３】
図３に示すように、第１記憶部１１０には、演奏ホール設定温度湿度情報取得プログラム１１６が格納されている。演奏ホール設定温度湿度情報取得プログラム１１６は、制御部１００が、第２記憶部１３０に格納されているホール設定温度湿度情報１３４から現在位置情報１５２に示される現在位置に対応する屋内の演奏会場の設定温度及び湿度を示す演奏ホール設定温度湿度情報１５６を取得するための情報である。すなわち、演奏ホール設定温度湿度情報取得プログラム１１６と制御部１００は、温度湿度情報取得手段の１例であり、より詳細には、設定温度湿度情報取得手段の１例である。
制御部１００は、上述の屋内屋外判断プログラム１１２に基づいて、現在位置が屋内であると判断した場合には、演奏ホール設定温度湿度情報１５６を取得し、その演奏ホール設定温度湿度情報１５６を第３記憶部１５０に格納する。
【００３４】
なお、本実施の形態とは異なり、調律装置２２が温度計及び湿度計を備える構成としてもよい。調律装置２２が温度計及び湿度計を備えることにより、ピアノ２０の現在位置の正確な温度情報及び湿度情報を取得することができる。
【００３５】
図３に示すように、第１記憶部１１０には、現在環境材質情報取得プログラム１１８が格納されている。現在環境材質情報取得プログラム１１８は、制御部１００が、第２記憶部１３０に格納されているピアノ材質情報１３６から、現在位置月別温度湿度情報１５４又は演奏ホール設定温度湿度情報１５６に示される温度及び湿度によって規定される現在環境に対応する材質情報である現在環境材質情報１５８を取得するための情報である。すなわち、第１記憶部１１０は、ピアノ２０の材質情報を格納する材質情報格納手段の１例であり、現在環境材質情報取得プログラム１１８と制御部１００は、温度湿度対応材質情報取得手段の１例である。ピアノ材質情報１３６は、具体的には、ピアノ２０の音源である弦の物性を示す情報である。
【００３６】
図４は、ピアノ材質情報１３６の１例を示す図である。
図４に示すように、ピアノ材質情報１３６は、音の響きに関する物性値１３６ａ、レスポンス感、伸びに関する物性値１３６ｂ、及び音色感に関する物性値１３６ｃを含む。これら音の響きに関する物性値１３６ａ等は、温度及び湿度によって変動する値である。  
そして、ピアノ材質情報１３６のうち、特定の温度及び湿度に対応する値を示す情報が、現在環境材質情報１５８である。
【００３７】
図３に示すように、調律装置２２は、第２記憶部１３０に、基準音情報１４０を格納している。基準音情報１４０は、ピアノ２０の基準音である上述のＡ４であるラの音を示す情報である。この第２記憶部１３０は、基準音情報格納手段の１例である。
【００３８】
図３に示すように、調律装置２２は、第２記憶部１３０に、基準ピッチ情報１４２を格納している。基準ピッチ情報１４２は、摂氏１５度における上述の基準音の周波数である例えば、４４０ヘルツ（Ｈｚ）を示す情報である。この第２記憶部１３０は、基準ピッチ情報格納手段の１例でもある。
【００３９】
図３に示すように、調律装置２２は、第１記憶部１１０に、調律プログラム１２０を格納している。調律プログラム１２０は、制御部１００が、上述の現在環境材質情報１５８に基づいて、上述の基準音情報１４０に示される基準音を基準ピッチ情報１４２に示される基準ピッチとなるように調整するための情報である。すなわち、調律プログラム１２０と制御部１００は基準音調整手段の１例である。
【００４０】
上述のピアノ材質情報１３６に含まれる音の響きに関する物性値１３６ａ等は、温度が高ければピアノ２０の音の周波数を下げる方向の値をとり、温度が低ければピアノ２０の音の周波数を上げる方向の値をとる。また、音の響きに関する物性値１３６ａ等は、湿度が高ければピアノ２０の音の周波数を下げる方向の値をとり、湿度が低ければピアノ２０の音の周波数を上げる方向の値をとる。
制御部１００は、調律プログラム１２０に基づいて、上述のように温度及び湿度によって規定される現在環境材質情報１５８を参照して、ピアノ２０の基準音を基準ピッチに合致させるように、ピアノ２０の弦の張力を調整等する。
【００４１】
このため、調律装置２２は、温度及び湿度を含むピアノ２０の環境に対応することができる。
また、調律装置２２が配置される対象となる楽器は電子楽器に限定されないから、調律装置２２はピアノ２０のような通常の楽器にも適用することができる。
さらに、調律装置２２は、調律に必要な構成をすべて備えており、自動的に調律を実行するから、専門家に依頼する必要がなく、調律に必要な道具を別途持ち運ぶ必要もない。
【００４２】
図３に示すように、調律装置２２は、第１記憶部１１０に、演奏ホール特性情報取得プログラム１２２を格納している。演奏ホール特性情報取得プログラム１２２は、制御部１００が、第１記憶部１１０に格納されているホール特性情報１３８から、ピアノ２０の現在位置が属する屋内の演奏会場の音響効果を示す音響情報である演奏ホール特性情報１６０を取得するための情報である。すなわち、演奏ホール特性情報取得プログラム１２２と制御部１００は、音響情報取得手段の１例である。
【００４３】
図５は、ホール特性情報１３８の１例を示す図である。
図５に示すように、ホール特性情報１３８は例えば、縦軸にＣ（Ｃｌａｒｉｔｙ：音の明瞭さに関するパラメータ）を、横軸にＲＲ（Ｒｏｏｍ  Ｒｅｓｐｏｎｓｅ：音に包まれた感じに関するパラメータ）をとり、２軸で音響効果を示す情報である。
ホール特性情報１３８は例えば、ホールＡ乃至ホールＤを含む全世界の主な演奏会場の音響効果を示す情報を含んでいる。
そして、ホール特性情報１３８のうち、ピアノ２０の現在位置が属する例えば、ホールＡの音響効果を示す情報が、演奏ホール特性情報１６０である。
【００４４】
図３に示すように、調律装置２２は、第１記憶部１１０に、微調整プログラム１２４を格納している。微調整プログラム１２４は、制御部１００が、演奏ホール特性情報１６０に基づいて、基準音情報１４０に示される基準音を微調整するための情報である。すなわち、微調整プログラム１２４と制御部１００は、基準音微調整手段の１例である。
【００４５】
例えば、ピアノ２０が属するホールの、音の明瞭性を示すＣの値が低い場合には、Ｃの値を高めるために例えば、周波数を基準ピッチの４４０ヘルツ（Ｈｚ）から４４２ヘルツ（Ｈｚ）に変更する微調整が行われる。
【００４６】
このため、調律装置２２は、ピアノ２０の現在位置の存在する会場の音響効果に基づいて、聴衆の耳に到達する音が適切な音となるように、調律することができる。
【００４７】
なお、本実施の形態とは異なり、調律装置２２が通信装置を有しており、上述の月別温度湿度情報１３２、ホール設定温度湿度情報１３４、ピアノ材質情報１３６、ホール特性情報１３８、基準音情報１４０、基準ピッチ情報１４２のすべて又は一部を、ピアノ２０の外部の情報管理サーバから無線通信によって取得するように構成してもよい。
【００４８】
以上が本実施の形態に係る調律装置２２の構成であるが、以下、その動作例を主に図６を使用して説明する。
図６は本実施の形態に係る調律装置２２の動作例を示す概略フローチャートである。
【００４９】
（ピアノ２０が、屋外に位置する場合について）
まず、ピアノ２０が屋外に位置する場合について説明する。
まず、調律装置２２は、図３の測位部１０２によって現在位置を測位し（図６のステップＳＴ１）、現在位置情報１５２を取得する。すなわち、ステップＳＴ１は、現在位置情報取得ステップの１例である。
次に、調律装置２２は、現在位置を測位したときの図１のＧＰＳ衛星１２ａからの信号強度によって、現在位置が屋外か否かを判断する（ステップＳＴ２）。すなわち、ステップＳＴ２は、屋外屋内判断ステップの１例である。
現在、ピアノ２０は、屋外に位置するから、調律装置２２は、現在位置が屋外であると判断する。
【００５０】
続いて、調律装置２２は、現在位置の温度湿度情報を取得する（ステップＳＴ３）。すなわち、ステップＳＴ３は、温度湿度情報取得ステップの１例である。具体的には、図３の第２記憶部１３０に格納されている月別温度湿度情報１３２から、屋外の現在位置に対応する月別温度情報及び月別湿度情報である現在位置月別温度湿度情報１５４を取得する。
【００５１】
続いて、調律装置２２は、図３の第２記憶部１３０に格納されているピアノ材質情報１３６から、現在位置月別温度湿度情報１５４に対応するピアノ２０の材質情報である現在環境材質情報１５８を取得する（ステップＳＴ４）。すなわち、ステップＳＴ４は、温度湿度対応材質情報取得ステップの１例である。
【００５２】
続いて、調律装置２２は、第２記憶部１３０に格納されている基準音情報１４０と、基準ピッチ情報１４２と、上述の現在環境材質情報１５８に基づいて、基準音が基準ピッチである４４０ヘルツ（Ｈｚ）となるように調整を行う（ステップＳＴ５）。すなわち、ステップＳＴ５は、基準音調整ステップの１例である。
【００５３】
続いて、調律装置２２は、基準音を基準ピッチよりも例えば、２ヘルツ（Ｈｚ）高い４４２ヘルツ（Ｈｚ）となるような屋外対応の調整を行う。
屋外の場合には、一般に、音響効果が乏しいのであるが、上述のように屋外対応の調整を行うことで、音の通りを良好にし、音響効果の乏しさを補うことができる。
【００５４】
（ピアノ２０が屋内に位置する場合について）
次に、ピアノ２０が屋内のホールＢ（図５参照）に位置する場合について、上述のピアノ２０が屋外に位置する場合との相違を中心に説明する。
【００５５】
調律装置２２は、現在位置を測位し（ステップＳＴ１）、現在位置が屋内であると判断すると（ステップＳＴ２）、屋内会場の演奏ホール設定温度湿度情報１５６（図３参照）を取得する（ステップＳＴ２１）。
続いて、調律装置２２は、図３の第２記憶部１３０に格納されているピアノ材質情報１３６から、屋内会場の演奏ホール設定温度湿度情報１５６に対応するピアノ２０の材質情報である現在環境材質情報１５８を取得する（ステップＳＴ２２）。すなわち、ステップＳＴ２２もまた、温度湿度対応材質情報取得ステップの１例である。
【００５６】
続いて、調律装置２２は、基準音が基準ピッチとなるように調整を行う（ステップＳＴ２３）。すなわち、ステップＳＴ２３もまた、基準音調整ステップの１例である。
続いて、調律装置２２は、現在位置の属する会場の音響情報を取得する（ステップＳＴ２４）。具体的には、図３の第２記憶部１３０に格納されているホール特性情報１３８から、現在位置の属する屋内の会場の音響情報で演奏ホール特性情報１６０を取得する。すなわち、ステップＳＴ２４もまた、音響情報取得ステップの１例である。
続いて、調律装置２２は、演奏会場特性情報１６０に基づいて、ピアノ２０の基準音を微調整する（ステップＳＴ２５）。すなわち、ステップＳＴ２５もまた、基準音微調整ステップの１例である。
【００５７】
例えば、調律装置２２は、ホールＢの明瞭さに関するパラメータＣが理想的なバランス範囲Ｐと比べて低いので、ピアノ２０の調律によって、Ｃの値の低さを補うような調整をする。具体的には、図４の音の響きに関する物性値１３６ａを基準に微調整を行う。
あるいは、調律装置２２は、図５に示す空間印象に関するパラメータＲＲの値も理想的なバランス範囲Ｐに比べて低いので、それを補うように、図４のレスポンス感、伸びに関する物性値１３６ｂを基準に微調整を行う。
【００５８】
（プログラム及びコンピュータ読み取り可能な記録媒体等について）
コンピュータに上述の動作例の現在位置情報取得ステップと、温度湿度情報取得ステップと、温度湿度対応材質情報取得ステップと、基準音調整ステップと、音響情報取得ステップと、基準音微調整ステップ等を実行させるための調律装置の制御プログラムとすることができる。
また、このような調律装置の制御プログラム等を記録したコンピュータ読み取り可能な記録媒体等とすることもできる。
【００５９】
これら調律装置の制御プログラム等をコンピュータにインストールし、コンピュータによって実行可能な状態とするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔｅｒｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００６０】
本発明は、上述の各実施の形態に限定されない。さらに、上述の各実施の形態は、相互に組み合わせて構成するようにしてもよい。
【図面の簡単な説明】
【００６１】
【図１】本発明の実施の形態に係る調律装置等を示す概略図である。
【図２】調律装置の主なハードウエア構成を示す概略図である。
【図３】調律装置の主なソフトウエア構成等を示す概略図である。
【図４】ピアノ材質情報の１例を示す図である。
【図５】ホール特性情報の１例を示す図である。
【図６】調律装置の動作例を示す概略フローチャートである。
【符号の説明】
【００６２】
１２ａ，１２ｂ，１２ｃ，１２ｄ・・・ＧＰＳ衛星、２０・・・ピアノ、２２・・・調律装置、３４・・・ＧＰＳ装置、３６・・・ピッチ調整装置、１００・・・制御部、１０２・・・測位部、１０４・・・ピッチ調整部、１１２・・・屋内屋外判断プログラム、１１４・・・現在位地月別温度湿度情報取得プログラム、１１６・・・演奏ホール設定温度湿度情報取得プログラム、１１８・・・現在環境材質情報取得プログラム、１２０・・・調律プログラム、１２２・・・演奏ホール特性情報取得プログラム、１２４・・・微調整プログラム
【図１】
2005338717.tif 000003
【図２】
2005338717.tif 000004
【図３】
2005338717.tif 000005
【図４】
2005338717.tif 000006
【図５】
2005338717.tif 000007
【図６】
2005338717.tif 000008